(57)【特許請求の範囲】
【請求項１】
照明エリア内に配置される複数の照明器具と、
端末装置とを含み、
前記端末装置は、
前記複数の照明器具の前記照明エリア内に配置された様子を示すイメージデータである図面データを取得する取得部と、
前記取得された図面データにおける前記複数の照明器具の各々に、当該照明器具の識別子及びスペックのうち少なくとも一つを付与する付与部とを備え、
前記図面データにおいて、前記複数の照明器具は、当該照明器具の識別子毎に異なるシンボルで表わされており、
前記図面データは、前記シンボルと当該シンボルに対応する照明器具の識別子とが一覧表示されている器具情報を含み、
前記付与部は、前記器具情報を解析することで各シンボルに対応する照明器具の識別子を取得し、当該識別子の照明器具のスペックを取得し、取得したスペックを、前記図面データ上の照明器具に付与する
照明システム。
【請求項２】
前記付与部は、前記スペックを前記図面データ上の照明器具に付与することにより、前記図面データ上の照明器具が選択された場合に、選択された照明器具のスペックが表示される図面データを生成する
請求項１記載の照明システム。
【請求項３】
複数の照明器具の照明エリア内に配置された様子を示すイメージデータである図面データを取得する取得部と、
前記取得された図面データにおける前記複数の照明器具の各々に、当該照明器具の識別子及びスペックのうち少なくとも一つを付与する付与部とを備え、
前記図面データにおいて、前記複数の照明器具は、当該照明器具の識別子毎に異なるシンボルで表わされており、
前記図面データは、前記シンボルと当該シンボルに対応する照明器具の識別子とが一覧表示されている器具情報を含み、
前記付与部は、前記器具情報を解析することで各シンボルに対応する照明器具の識別子を取得し、当該識別子の照明器具のスペックを取得し、取得したスペックを、前記図面データ上の照明器具に付与する
端末装置。
【請求項４】
照明エリア内に配置される複数の照明器具と、端末装置とを含む照明システムの設定方法であって、
前記端末装置が、前記複数の照明器具の前記照明エリア内に配置された様子を示すイメージデータである図面データを取得する取得ステップと、
前記端末装置が、前記取得された図面データにおける前記複数の照明器具の各々に、当該照明器具の識別子及びスペックのうち少なくとも一つを付与する付与ステップとを含み、
前記図面データにおいて、前記複数の照明器具は、当該照明器具の識別子毎に異なるシンボルで表わされており、
前記図面データは、前記シンボルと当該シンボルに対応する照明器具の識別子とが一覧表示されている器具情報を含み、
前記付与ステップでは、前記器具情報を解析することで各シンボルに対応する照明器具の識別子を取得し、当該識別子の照明器具のスペックを取得し、取得したスペックを、前記図面データ上の照明器具に付与する
照明システムの設定方法。
【発明の詳細な説明】
【技術分野】
【０００１】
本発明は、複数の照明器具を含む照明システム、その設定方法、及び端末装置に関する。
【背景技術】
【０００２】
例えば、天井部分に設置される複数の照明器具を無線通信で操作することができる照明システムが提案され、脚光を浴びている。具体的には、この照明システムは、タブレット端末の表示部を指で操作すれば、複数の照明器具の照明状態が簡単に調整できるようになっている（これに類似する技術が下記特許文献１に記載されている）。
【先行技術文献】
【特許文献】
【０００３】
【特許文献１】特開２０１５−１８６３６号公報
【発明の概要】
【発明が解決しようとする課題】
【０００４】
このような照明システムでは、照明設定作業をより簡単に行えることが望まれている。
【０００５】
そこで、本発明は、照明設定作業を簡単に行える照明システム、その設定方法又は端末装置を提供することを目的とする。
【課題を解決するための手段】
【０００６】
本発明の一態様に係る照明システムは、照明エリア内に配置される複数の照明器具と、端末装置とを含み、前記端末装置は、前記複数の照明器具の前記照明エリア内に配置された様子を示すイメージデータである図面データを取得する取得部と、前記取得された図面データにおける前記複数の照明器具の各々に、当該照明器具の識別子及びスペックのうち少なくとも一つを付与する付与部とを備える。
【発明の効果】
【０００７】
本発明は、照明設定作業を簡単に行える照明システム、その設定方法又は端末装置を提供できる。
【図面の簡単な説明】
【０００８】
【図１】図１は、実施の形態に係る照明システムの構成例を示す図である。
【図２】図２は、実施の形態に係る照明システムに含まれる各装置間の通信例を示す図である。
【図３】図３は、実施の形態に係る照明設定処理の流れを示す図である。
【図４】図４は、実施の形態に係る端末装置のブロック図である。
【図５】図５は、実施の形態に係るログイン時の画面例を示す図である。
【図６】図６は、実施の形態に係る図面データのダウンロード処理のフローチャートである。
【図７】図７は、実施の形態に係る図面データ取得操作時の画面例を示す図である。
【図８】図８は、実施の形態に係る、取得した図面データの表示画面例を示す図である。
【図９】図９は、実施の形態に係る図面データから抽出した情報の一例を示す図である。
【図１０】図１０は、実施の形態に係る、器具情報を付与した後の図面データの表示画面例を示す図である。
【図１１】図１１は、実施の形態に係るアドレス設定時の画面例を示す図である。
【図１２】図１２は、実施の形態に係るアドレス設定時の画面例を示す図である。
【図１３】図１３は、実施の形態に係るペアリング時の画面例を示す図である。
【図１４】図１４は、実施の形態に係るグループ設定時の画面例を示す図である。
【図１５】図１５は、実施の形態に係るシーン設定時の画面例を示す図である。
【図１６】図１６は、実施の形態に係るシーン設定時の画面例を示す図である。
【図１７】図１７は、実施の形態に係る完了時の画面例を示す図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態）
［照明システムの構成］
まず、本実施の形態に係る照明システム１００の構成を説明する。図１は、本実施の形態に係る照明システム１００の様子を示す模式図である。図２は、照明システム１００に含まれる各装置間の通信の様子を示す図である。
【００１２】
図１に示すように、照明システム１００は、照明エリア１０１内に配置される複数の照明器具１０２と、コントローラ１０３と、端末装置１０４とを含む。
【００１３】
照明エリア１０１は、複数の照明器具１０２が配置される空間であり、例えば、店舗等である。照明器具１０２は、天井等に備え付けられる照明器具であり、ベース器具とランプとの組み合わせ、ダウンライト、ユニバーサルダウンライト、又はスポットライト等である。また、複数の照明器具１０２は、同一の種別である必要はなく、これらが組み合わされてもよい。
【００１４】
例えば、照明器具１０２は、発光色の異なる複数のＬＥＤ（ｌｉｇｈｔ−ｅｍｉｔｔｉｎｇ  ｄｉｏｄｅ）又は有機ＥＬ（ｅｌｅｃｔｒｏ  ｌｕｍｉｎｅｓｃｅｎｃｅ）素子を有する光源を備え、後述する制御によって出射光の明るさ及び色温度が可変である。
【００１５】
コントローラ１０３は、複数の照明器具１０２のオン／オフ、調光及び調色を制御する。なお、コントローラ１０３と複数の照明器具１０２との接続は、有線接続であってもよいし、図３に示すように、無線アダプタ１０６を介した無線接続であってもよし、これらが混在してもよい。図３に示す例では、コントローラ１０３と無線アダプタ１０６とは有線接続され、無線アダプタ１０６は、複数の照明器具１０２、スイッチ１０７及びセンサ１０８と無線接続されている。
【００１６】
スイッチ１０７は、例えば、壁等に設けられたスイッチであり、当該スイッチが操作されることで、照明器具１０２のオン／オフ、調光及び調色が制御される。センサ１０８は、人間センサ等であり、センサ１０８によりセンサ結果がコントローラ１０３に送信される。コントローラ１０３は、当該センサ結果に応じて複数の照明器具１０２のオン／オフ、調光及び調色等を制御する。
【００１７】
なお、無線アダプタ１０６と、複数の照明器具１０２、スイッチ１０７及びセンサ１０８との無線通信の方式は特に限定はされないが、例えば、９００ＭＨｚ帯の無線信号が用いられる。
【００１８】
また、複数の照明器具１０２は、赤外線受信器を有し、端末装置１０４から送信された赤外線信号を受信する。
【００１９】
端末装置１０４は、タブレット端末、スマートフォン又はパーソナルコンピュータ等であり、例えば、作業者１０５により所持される。端末装置１０４は、照明システム１００の照明態様の設定をするために用いられる、照明システム１００のユーザインターフェースの機能を果たす操作端末である。
【００２０】
端末装置１０４は、コントローラ１０３と通信可能である。例えば、端末装置１０４とコントローラ１０３は、Ｗｉ−Ｆｉ（登録商標）による無線通信を行う。
【００２１】
なお、上記で示すコントローラ１０３と、各装置間の通信方法は一例であり、有線又は無線の任意の通信方法が用いられてよい。例えば、有線通信としては、イーサネット（登録商標）の規格に準拠する有線ＬＡＮ（Ｌｏｃａｌ  Ａｒｅａ  Ｎｅｔｗｏｒｋ）、無線通信としては、Ｗｉ−Ｆｉ（登録商標）、Ｂｌｕｅｔｏｏｔｈ（登録商標）、ＺｉｇＢｅｅ（登録商標）、又は赤外線通信等を用いることができる。また、有線通信と無線通信とが混在してもよい。
【００２２】
また、図２では、コントローラ１０３と無線アダプタ１０６とを個別の装置として記載しているが、コントローラ１０３が無線アダプタ１０６の機能を有してもよい。
【００２３】
また、図２に示す構成は一例であり、照明システム１００は、図２に示す全ての構成を備える必要はない。例えば、スイッチ１０７及びセンサ１０８の少なくとも一方が照明システム１００に含まれなくてもよい。
【００２４】
［照明設定動作の概要］
以下、本実施の形態に係る照明設定動作について説明する。図３は、本実施の形態に係る照明設定動作の流れを示す図である。この照明設定動作は、大きく、３つのステップを含む。
【００２５】
まず、照明設計士等が照明設計アプリを用いて事前に照明設計を行う（Ｓ１０１）。具体的には、照明器具１０２の配置及び照明プラン（調光及び調色等）が作成され（Ｓ１１１）、照明器具１０２の配置及び照明プランを示す図面データが作成される（Ｓ１１２）。
【００２６】
次に、電気工事士等が設定アプリを用いて照明器具１０２の初期設定を行う（Ｓ１０２）。つまり、図１に示すように、電気工事士である作業者１０５が、複数の照明器具１０２が設定される照明エリア１０１（店舗等）において、端末装置１０４を用いて、複数の照明器具１０２の初期設定を行う。
【００２７】
具体的には、ステップＳ１１２で作成された図面データが端末装置１０４にダウンロードされる（Ｓ１２１）。次に、端末装置１０４を用いて、複数の照明器具１０２の論理アドレスの設定（Ｓ１２２）、照明器具１０２とコントローラ１０３とのペアリング（Ｓ１２３）、及びシーン設定（Ｓ１２４）が順次行われ、設定結果が保存される（Ｓ１２５）。
【００２８】
最後に、店舗オーナー又はオフィス担当者等が運用アプリを用いた微調整等を行う（Ｓ１０３）。具体的には、ステップＳ１２５で保存された設定内容に対して、シーン設定（調光及び調色の設定）等の微調整等が行われ（Ｓ１３１）、調整後の設定が保存される（Ｓ１３２）。
【００２９】
［端末装置の構成］
以下、端末装置１０４の構成を説明する。図４は、端末装置１０４のブロック図である。図４に示すように端末装置１０４は、通信部１５１と、赤外線通信部１５２と、制御部１５３とを備える。
【００３０】
通信部１５１は、例えば、無線通信によりコントローラ１０３との通信を行う。赤外線通信部１５２は、赤外線通信を行う。具体的には、赤外線通信部１５２は、赤外線信号を照明器具１０２に送信する。
【００３１】
制御部１５３は、通信部１５１及び赤外線通信部１５２を制御し、各種設定動作を行う。例えば、制御部１５３の機能は、ＣＰＵ等のプロセッサがメモリに格納されているプログラムを実行することにより実現される。なお、制御部１５３は、専用回路により構成されてもよいし、これらが組み合わされてもよい。
【００３２】
制御部１５３は、取得部１５５と、付与部１５６と、アドレス設定部１５７と、ペアリング部１５８と、設定部１５９とを備える。
【００３３】
また、端末装置１０４は、画像を表示するディスプレイ等の表示部、及び、ユーザの操作を受け付けるタッチパネル等の入力部とを備える（図示せず）。
【００３４】
なお、上記機能は、単一の装置に内蔵されていてもよいし、複数の装置により実現されてもよい。例えば、赤外線通信部１５２として外付けの赤外線モジュールが用いられてもよいし、専用の赤外線端末が用いられてもよい。
【００３５】
［図面データのダウンロード処理］
以下、作業者１０５による端末装置１０４を用いた設定動作（図３のＳ１０２）について詳細に説明する。このとき、図１に示すように、複数の照明器具１０２が照明エリア１０１に設置されているが、初期設定が行われていない状態である。
【００３６】
まず、作業者１０５は、端末装置１０４にインストールされている設定アプリを立ち上げる。例えば、図５に示すように、作業者１０５がユーザー名及びパスワードを入力することでログインが行われる。
【００３７】
次に、図面データのダウンロード処理（図３のＳ１２１）が行われる。図６は、図面データのダウンロード処理（Ｓ１２１）のフローチャートである。
【００３８】
まず、端末装置１０４の取得部１５５は、ステップＳ１１２において予め作成されている図面データを、ネットワークを介して外部のサーバ等から取得する（Ｓ１４１）。例えば、図７に示すように、作業者１０５が入力欄１２２にファイル名又はファイルのアドレス等を入力し、ファイル選択ボタン１２３を選択することで、図面データのダウンロードが開始される。なお、ユーザー名と図面データとが事前に対応付けられており、ユーザー名を入力することで対応する図面データのダウンロードが開始されてもよいし、ログイン時に用いられたユーザー名を用いて対応する図面データのダウンロードが自動的に開始されてもよい。
【００３９】
また、図面データの取得方法はダウンロードに限らず、予め端末装置１０４に図面データが保存されていてもよいし、端末装置１０４に着脱可能な記録媒体等を介して図面データが取得されてもよい。
【００４０】
また、図７に示すように、全てのプロセスのうち、現在どのプロセスが行われており、どのプロセスが既に完了したかを示す経過情報１２１が表示される。
【００４１】
図８は、図面データ取得後の画面例であり、図面データ１２５の表示例を示す図である。図面データ１２５が取得された後、図面データ１２５が表示される。図面データ１２５は、複数の照明器具１０２の照明エリア１０１内に配置された様子を示すイメージデータである。例えば、図８に示すように、照明エリア１０１の地図データ（例えば平面図）上に複数の照明器具１０２のシンボル１２６（アイコン）が表示される。また、複数の照明器具１０２は、種別（例えば製品番号）毎に異なるシンボルで表わされる。
【００４２】
また、図面データ１２５は、シンボル１２６と当該シンボル１２６に対応する照明器具１０２の識別子（例えば製品番号）とが一覧表示されている器具情報１２７を含む。また、器具情報１２７は、施主名、及び工事日等を含む。なお、施主名の代わりに案件名等が用いられてもよいし、工事日の代わりに開店日等が用いられてもよい。また、ここでは、照明器具１０２の識別子として製品番号が用いられる例を説明するが、当該識別子は、当該照明器具１０２の製品番号に対応付けられており、当該照明器具１０２を識別可能な情報であればよい。当該識別子は、例えば、製品番号を識別するための番号等であってもよい。また、各シンボル１２６の照明器具１０２の製品番号に加え、器具の種別等を示す情報が記載されていてもよい。また、器具情報１２７の形態は、シンボル１２６と照明器具１０２の識別子との一覧表示に限らず、地図データ上に配置されている各シンボル１２６の上に識別子が記載される形態でもよい。
【００４３】
作業者１０５は、読み込んだ図面データ１２５を確認して、問題なければ確認ボタン１２８を選択する。また、違う図面を読み込む場合は、変更ボタン１２９が選択される。
【００４４】
確認ボタン１２８が選択されると、端末装置１０４の付与部１５６は、図面データ１２５を解析することで使用されている照明器具１０２の製品番号を取得する（Ｓ１４２）。また、付与部１５６は、図面データ１２５を解析することで施主及び工事日の情報等を取得する。具体的には、図面データ１２５は、イメージデータ又はイメージデータと文字データとの組み合わせである。付与部１５６は、図面データ１２５内の器具情報１２７を画像解析及び文字認証することにより、施主及び工事日の情報と、各シンボル１２６と、各シンボル１２６に対応する製品番号とを抽出する。
【００４５】
次に、付与部１５６は、取得した製品番号の照明器具１０２のスペック（仕様）を取得する（Ｓ１４３）。例えば、各製品番号のスペックを示すテーブルが外部のサーバ等の保存されており、付与部１５６は、ネットワークを介して、当該サーバから各製品番号の照明器具のスペックを取得する。なお、各製品番号のスペックを示すテーブルが端末装置１０４に保存されており、付与部１５６は、端末装置１０４に保存されているテーブルを参照して、各製品番号のスペックを取得してもよい。ここで、スペックとは、例えば、調光のスペック及び調色のスペックである。なお、スペックには、照明器具の種別（直管型／電球型、ＬＥＤ／蛍光灯等）、又は消費電力等、他の情報が含まれてもよい。
【００４６】
上記処理により、例えば、図９に示す器具情報が取得される。次に、付与部１５６は、取得した器具情報（スペック等）を図面データ１２５に付与する（Ｓ１４４）。具体的には、付与部１５６は、図面データ１２５における複数の照明器具１０２の各々に、当該照明器具１０２の製品番号及びスペックのうち少なくとも一つを付与する。言い換えると、付与部１５６は、取得した製品番号及びスペックを、図面データ１２５上の各照明器具１０２に付与する。つまり、付与部１５６は、図面データ１２５における各シンボル１２６に、当該シンボル１２６に対応する照明器具１０２の製品番号又はスペックを対応付ける。
【００４７】
図１０は、スペック等の情報が付与された後の画面例であり、スペック等の情報が付与された後の図面データ１２５の一例を示す図である。図１０に示すように、図面データ１２５上の照明器具１０２（シンボル１２６）が選択された場合に、選択された照明器具１０２の製品番号及びスペックを含む付与情報１３１が表示される。また、付与された施主及び工事日等を示す情報１３２が器具情報１２７とは別に表示されてもよい。
【００４８】
なお、施主及び工事日に加え、照明器具１０２の台数が抽出され、当該台数を示す情報が表示されてもよい。また、台数は製品番号毎に抽出され、表示されてもよい。例えば、付与部１５６は、画像解析により図面データ１２５内のシンボル１２６を抽出し、その数をカウントすることで台数を抽出する。
【００４９】
このように、本実施の形態では、端末装置１０４は、図面データ１２５に、照明器具１０２の製品番号（識別子）及びスペック等を自動的に付与する。これにより、作業者１０５は、端末装置１０４において、図面データ１２５で示される各照明器具１０２の製品番号及びスペック等を現場の状態と照らし合わせながら容易に確認することができる。これにより、作業者１０５の利便性をより向上できるとともに、設定作業の作業時間を短縮できる。また、専門知識を有さない作業者１０５による設定作業の実現をサポートできる。
【００５０】
［アドレス設定処理］
図面データのダウンロード処理（Ｓ１２１）の完了後、アドレス設定部１５７は、照明器具１０２の各々に論理アドレスを設定する（Ｓ１２２）。図１１及び図１２は、論理アドレス設定画面の一例を示す図である。
【００５１】
例えば、作業者１０５が、アドレスを設定する対象の照明器具１０２である対象器具のシンボル１２６を選択することで、アドレス確認情報１３６が表示される。作業者１０５は、図面データ１２５を確認し、対象器具に近接するとともに、対象器具に端末装置１０４の赤外線通信部１５２を向け、ＯＫボタン及び送信ボタン１３５を選択する。これにより、アドレス確認情報１３６で示される論理アドレスが、対象器具に赤外線送信される。対象器具は論理アドレスを受信し、受信した論理アドレスを自身の論理アドレスとして保持する。次に、作業者１０５は、次のシンボル１２６を選択し、同様の作業を行うことで各照明器具１０２に論理アドレスを設定する。
【００５２】
また、図１２に示すように、アドレス設定が完了した照明器具１０２のシンボル１２６Ａは、アドレス未設定の照明器具１０２のシンボル１２６とは異なる形態で表示される。これにより、作業者１０５は、アドレス設定を実施した照明器具１０２を容易に識別できる。
【００５３】
アドレス設定が完了した場合、作業者１０５は完了ボタン１３７を選択する。なお、全ての照明器具１０２のアドレス設定が完了した場合に、完了ボタン１３７が表示されてもよい。
【００５４】
また、各照明器具１０２に送信される論理アドレスは、予め設定され、図面データ１２５に含まれていてもよいし、作業者１０５が設定してもよいし、予め定められたルールに基づき順次自動的に設定されてもよい。
【００５５】
また、作業者１０５が対象器具のシンボルを選択するのではなく、予め定められた順序に従い、自動的に対象機器が選択されてもよい。
【００５６】
［ペアリング処理］
アドレス設定処理（Ｓ１２２）の完了後、ペアリング部１５８は、ペアリング処理（Ｓ１２３）を行う。図１３は、ペアリング処理時の画面例を示す図である。
【００５７】
ペアリング処理では、コントローラ１０３において、各照明器具１０２の論理アドレスと通信アドレス（物理アドレス）との紐付けが行われる。また、無線アダプタ１０６が用いられる場合には無線アダプタと照明器具１０２とのペアリングが行われる。以下では、複数の無線アダプタ１０６が用いられる場合の例を説明する。
【００５８】
まず、ペアリング部１５８は、コントローラ１０３にペアリングの実行を指示する。コントローラ１０３は、各無線アダプタ１０６に自身のアドレスを送信するように指示する。無線アダプタ１０６のアドレスを受信した照明器具１０２は、アドレス設定処理（Ｓ１２２で設定された自分の論理アドレス、及び、予め設定されている通信アドレスを無線アダプタ１０６に返信する。これにより、無線アダプタ１０６と照明器具１０２とのペアリングが行われる。
【００５９】
また、無線アダプタ１０６を介して、各照明器具１０２の論理アドレス及び通信アドレスがコントローラ１０３に送信される。これにより、コントローラ１０３において、各照明器具１０２の論理アドレスと通信アドレスとが紐付けされ管理される。
【００６０】
なお、ペアリングを開始した後、紐付けを行う照明器具１０２のみ電源をＯＮ／ＯＦＦすることで対象器具を判別してもよい。また、アドレス設定を行う際に、同時にペアリングが行われてもよい。
【００６１】
［シーン設定処理］
ペアリング設定処理（Ｓ１２３）の完了後、設定部１５９は、シーン設定処理（Ｓ１２４）を行う。設定部１５９は、シーン設定処理において、グループの設定及びシーンの設定を行う。図１４は、グループ設定時の画面例を示す図である。
【００６２】
図１４に示すように、複数の照明器具１０２にグループが設定される。例えば、同一グループに設定する照明器具１０２のシンボル１２６を、枠１３９で囲むことでグループが設定される。なお、一筆書きでなぞるなどの方法で枠１３９が設定されてもよい。または、グループが選択された後に、選択したグループに含める照明器具１０２のシンボル１２６が順次選択されてもよい。
【００６３】
また、グループ設定が完了した照明器具１０２のシンボル１２６は、枠で囲われる、又は背景色が変わるなど、グループ設定が行われていない照明器具１０２のシンボルと異なる形態で表示されてもよい。
【００６４】
次に、設定されたグループ毎にシーン設定が行われる。ここでシーンとは、調光及び調色の設定、並びに、期間毎に調光及び調色の設定を変更することである。図１５及び図１６は、シーン設定時の画面例を示す図である。図１５に示すように、シーン情報１４１が表示される。作業者１０５が表示されているシーンを選択することで、そのシーンの設定内容（調光レベル及調色レベル）が表示される。また、作業者１０５が設定バー１４２を操作することで設定内容（調光レベル及調色レベル）を変更できる。
【００６５】
また、図１６に示すように作業者１０５がシーン境界を選択することでシーン切替の設定が表示される。シーン切替の設定とは、例えば、シーンが切り替わる際の遷移時間である切替時間である。つまり、切替時間の間に前のシーンの調光レベル及び調色レベルから次のシーンの調光レベル及び調色レベルに、調光レベル及び調色レベルが徐々に変化する。また、作業者１０５が設定バー１４３を操作することで設定内容（切替時間）を変更できる。
【００６６】
このようなインタフェースを設けることで、作業者１０５が容易にグループ及びシーンを確認及び設定することができる。
【００６７】
なお、グループ及びシーン設定は、予め設定されておりステップＳ１４１において、図面データ１２５と共に取得されてもよい。この場合、このシーン設定（Ｓ１２４）では、設定内容の調整、変更又は確認が行われる。
【００６８】
また、シーン設定処理（Ｓ１２４）の完了後、設定内容が端末装置１０４に保存されるとともに、コントローラ１０３に送信される（Ｓ１２５）。そして、コントローラ１０３により設定内容に基づく照明制御が行われる。図１７は、設定処理の完了時に画面例を示す図である。例えば、図１７に示すような送信確認メッセージ１４５が表示され、送信ボタン１４６を作業者１０５が選択することにより、設定内容がコントローラ１０３に送信される。
【００６９】
［効果等］
以上のように、本実施の形態では、作業者１０５は、タブレット端末等の端末装置１０４を用いてによって、各照明器具１０２の設置及び照明状態の調整を行うことができるので、作業者１０５の手間を低減できる。
【００７０】
さらに、本実施の形態では、図面データ１２５から個々の照明器具１０２の識別符号（例えば製品番号及び仕様など）を自動的に抽出できる。これにより、作業者１０５が手作業でこれらの情報を入力する必要がないので、作業者１０５の手間をさらに低減できる。また、作業者１０５は、抽出されたこれらの情報を用いて、天井等に配置された個々の照明器具１０２と、端末装置１０４に表示された照明器具１０２との対応関係を容易に判定できる。これにより、作業者１０５による、その後のアドレス設定及びペアリング等の処理が容易となる。このように、照明設定作業を簡単に行える照明システム１００を実現できる。
【００７１】
また、照明設定作業が簡単になることにより、作業者１０５に照明の専門的な知識がない場合であっても、設定が可能になる。これにより、専門的な知識を有する作業者１０５が現地に赴く必要がなくなるので作業を効率化できる。
【００７２】
以上、本発明の実施の形態に係る照明システムについて説明したが、本発明は、この実施の形態に限定されるものではない。
【００７３】
例えば、本発明は、上記照明システム１００として実現できるだけでなく、照明システム１００に含まれる各機器（例えば、端末装置１０４）として実現されてもよいし、照明システム１００で行われる特徴的なステップを含む照明システム１００の設定方法として実現されてもよい。
【００７４】
また、上記実施の形態に係る照明システムに含まれる各処理部の一部又は全ては集積回路であるＬＳＩとして実現されてもよい。これらは個別に１チップ化されてもよいし、一部又は全てを含むように１チップ化されてもよい。
【００７５】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００７６】
つまり、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００７８】
以上、一つまたは複数の態様に係る照明システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７９】
１００  照明システム
１０１  照明エリア
１０２  照明器具
１０４  端末装置
１２５  図面データ
１２６  シンボル
１２７  器具情報
１５５  取得部
１５６  付与部
【図１】
0006704191.tif 000002
【図２】
0006704191.tif 000003
【図３】
0006704191.tif 000004
【図４】
0006704191.tif 000005
【図５】
0006704191.tif 000006
【図６】
0006704191.tif 000007
【図７】
0006704191.tif 000008
【図８】
0006704191.tif 000009
【図９】
0006704191.tif 000010
【図１０】
0006704191.tif 000011
【図１１】
0006704191.tif 000012
【図１２】
0006704191.tif 000013
【図１３】
0006704191.tif 000014
【図１４】
0006704191.tif 000015
【図１５】
0006704191.tif 000016
【図１６】
0006704191.tif 000017
【図１７】
0006704191.tif 000018